(57)【要約】【課題】  マッサージ機本体の電源スイッチにおけるＯＦＦ状態が容易に解除されないように維持し、且つ子供や幼児が電源ユニットを容易に操作できないようにした安全装置を備えた電源ユニット及び電源ユニットを備えたマッサージ機を提供する。【解決手段】  マッサージ機本体１ａの電源ユニット２ａに、電源スイッチ釦２２ａと共にマッサージ機本体１ａへの電源供給のＯＦＦ状態をロックする安全装置３ａを内蔵する。電源スイッチ釦２２ａがＯＦＦ状態の場合、該安全装置３ａによって電源コード２４ａと電源スイッチ釦２２ａとの通電が断絶状態になり、電源スイッチ釦２２ａをＯＮ状態に切り替えた場合でもマッサージ機本体１ａに対する電源供給はＯＦＦ状態のままロックされる。前記安全装置３ａは、鍵穴挿入部を有するキーロック装置や、カードリーダ装置、またはテンキー装置や指紋認証装置とする。【選択図】  図７
2006296934.tif 000002
【特許請求の範囲】
【請求項１】
ＯＮ、ＯＦＦの切り替え機能を有する電源スイッチ釦と、過電流が流れる事を防止するヒューズを内蔵した筐体状の電源ボックスにおいて、特定の媒体物もしくは予め設定された情報を使用する事によりマッサージ機本体への電源供給を制御するためのロック機構を備えた安全装置を前記電源ボックスに内蔵した事を特徴とする安全装置を備えた電源ユニット。
【請求項２】
前記安全装置は、鍵穴挿入部を有する装置本体と該鍵穴挿入部に挿入可能な鍵から構成されるキーロック装置である事を特徴とする請求項１記載の安全装置を備えた電源ユニット。
【請求項３】
前記キーロック装置は、前記鍵を前記装置本体の鍵穴挿入部に挿入し一定角度回動させる事によりマッサージ機本体への電源供給を可能とし、反対側に一定角度回動させて前記鍵穴挿入部から前記鍵を抜き取る事でマッサージ機本体への電源供給を不可とするようにした事を特徴とする請求項２記載の安全装置を備えた電源ユニット。
【請求項４】
前記安全装置は、カードリーダ装置である事を特徴とする請求項１記載の安全装置を備えた電源ユニット。
【請求項５】
前記安全装置は、予め設定された少なくとも二以上の暗証番号を入力する事によりマッサージ機本体への電源供給を制御するためのロックを設定及び解除を可能とするテンキー装置である事を特徴とする請求項１記載の安全装置を備えた電源ユニット。
【請求項６】
前記安全装置は、人体の指紋により識別する指紋認証装置である事を特徴とする請求項１記載の安全装置を備えた電源ユニット。
【請求項７】
座部とリクライニング機能を有する背もたれ部とからなるマッサージ機本体において、該マッサージ機本体の後方側底端部に請求項１乃至請求項６記載の電源ユニットを備えた事を特徴とする電源ユニットを備えたマッサージ機。
【発明の詳細な説明】
【技術分野】
【０００１】
本発明は、電源の入・切に制限を加えて安全性を高めた安全装置を備えた電源ユニット及びこの電源ユニットを搭載した電源ユニットを備えたマッサージ機に関するものである。
【背景技術】
【０００２】
従来のマッサージ機は、もみや叩き等の施療動作を施療者の要望に応じた施療強度で実施できるようにしており、椅子式マッサージ機等においては、その背もたれ部にリクライニング機能を設けたものがほとんどである。
【０００３】
さらに、現在普及している椅子式マッサージ機等を含むほとんどのマッサージ機は、その仕様が成人者の使用を前提としたものであるため、子供や幼児がその使用に耐えうるように設計されていないのが現状である。
【０００４】
従って、この種従来のマッサージ機では、幼児や子供が勝手に使用する事を想定していないために、保護者の目の届かない場所や未管理下での誤使用による事故を誘発して怪我をする危険性があった。
【０００５】
このような状況から、幼児や子供によるマッサージ機の誤使用を防ぐための手段として、電源ユニットにツマミ又はコイン式のツマミ或いは釦を備え、マッサージ機本体の電源スイッチのＯＦＦ状態をロックする安全装置を設けるようにしたものがあった。
【０００６】
例えば、電源スイッチ部に子供が容易に触れる事がないようにするために、図９に示したように、椅子式マッサージ機３の背もたれ部２の背面側端部に、電源ユニット４１を取りつけたものがあり、該電源ユニット４１は、操作器用コード取付け部４５及び電源コード４２の入力部４３と共に、電源スイッチ１１と該電源スイッチ１１のＯＦＦ状態をロックするための電源スイッチ用ロック釦４４を備えている。
【０００７】
そして、この椅子式マッサージ機３を使用する時は、まず前記電源スイッチ用ロック釦４４を操作して、ロック解除をしてから電源スイッチ１１をＯＮ状態にさせ、操作器（図示せず）に設けたスイッチを操作して椅子式マッサージ機３を動作させる。また、使用後は、電源スイッチ１１をＯＦＦ状態にすると共に、電源スイッチ用ロック釦４４を操作して電源スイッチ１１のＯＦＦ状態をロックするようにしている。
【特許文献１】特開平０９−１４０７５７号公報（第１１頁、図１８）
【発明の開示】
【発明が解決しようとする課題】
【０００８】
しかし、上記構成のような電源ユニット及び電源ユニットを備えたマッサージ機では、子供等が前記ツマミまたは釦等を操作して電源スイッチのＯＦＦ状態を解除する可能性があり、依然として幼児や子供が椅子式マッサージ機等を勝手に使用する危険性を解消できていない状況にあった。特に、前記電源ユニットがマッサージ機の見えやすい部位に設けられている場合には、子供等の誤使用による危険性はさらに高くなるという問題があった。
【０００９】
そこで、本発明は上記従来の各種問題点を解消すべく成されたものであり、その主な課題は、マッサージ機本体の電源スイッチにおけるＯＦＦ状態が容易に解除されないように維持し、且つ子供や幼児が電源ユニットを容易に操作できないようにした安全装置を備えた電源ユニット及び電源ユニットを備えたマッサージ機を提供する事である。
【課題を解決するための手段】
【００１０】
すなわち、本発明の安全装置を備えた電源ユニットは、ＯＮ、ＯＦＦの切り替え機能を有する電源スイッチ釦と、過電流が流れる事を防止するヒューズを内蔵した筐体状の電源ボックスにおいて、特定の媒体物もしくは予め設定された情報を使用する事によりマッサージ機本体への電源供給を制御するためのロック機構を備えた安全装置を前記電源ボックスに内蔵している事を特徴とする。
【００１１】
また、本発明の安全装置を備えた電源ユニットは、鍵穴挿入部を有する装置本体と該鍵穴挿入部に挿入可能な鍵から構成されるキーロック装置を安全装置としている事を特徴とする。
【００１２】
更に、本発明の安全装置を備えた電源ユニットは、鍵穴挿入部に挿入可能な鍵を装置本体の鍵穴挿入部に挿入し一定角度回動させる事によりマッサージ機本体への電源供給を可能とし、反対側に一定角度回動させて前記鍵穴挿入部から前記鍵を抜き取る事でマッサージ機本体への電源供給を不可とするようにしたキーロック装置を採用したものである事を特徴とする。
【００１３】
更に本発明の安全装置を備えた電源ユニットは、カードリーダ装置を安全装置とした事を特徴とする。
【００１４】
また、本発明の安全装置を備えた電源ユニットは、予め設定された少なくとも二以上の暗証番号を入力する事によりマッサージ機本体への電源供給を制御するためのロックを設定及び解除を可能とするテンキー装置で安全装置を構成した事を特徴とする。
【００１５】
本発明の安全装置を備えた電源ユニットは、人体の指紋により識別する指紋認証装置で安全装置を構成した事を特徴とするものである。
【００１６】
更に、本発明の電源ユニットを備えたマッサージ機は、座部とリクライニング機能を有する背もたれ部とからなるマッサージ機本体において、該マッサージ機本体の後方側底端部に安全装置を備えた電源ユニットを備えた事を特徴とする。
【発明の効果】
【００１７】
よって、本発明の安全装置を備えた電源ユニットは、電源ボックスにおいて特定の媒体物もしくは予め設定された情報を使用する事によりマッサージ機本体への電源供給を制御するためのロック機構を備えた安全装置を内蔵している為、子供や幼児等に前記特定の媒体物もしくは予め設定された情報を持たせないようにする事により、該子供や幼児がマッサージ機を勝手に使用して怪我等の事故を起こす危険性を解消する事ができる。
【００１８】
また本発明は、安全装置が鍵穴挿入部を有する装置本体と鍵穴挿入部に挿入可能な鍵によるキーロック装置で構成しており、簡易且つ容易な操作を可能にしている。
【００１９】
また、本発明は、前記キーロック装置は、鍵穴挿入部への鍵の挿入後における一方向への一定角度回動により電源供給を開放にし、他方向への一定角度回動及び鍵穴挿入部からの鍵を抜き取りにより電源供給を遮断するようにしている為、電源供給の開放・遮断が容易且つ確実であり、しかも電源供給時においては鍵穴挿入部で鍵を保持して紛失を防止する事ができる。
【００２０】
更に本発明の安全装置を備えた電源ユニットは、カードリーダ装置で構成している為、使用者の限定が容易であり安全性を向上させる事ができる。
【００２１】
また、本発明の安全装置は、予め設定された少なくとも二以上の暗証番号をテンキー装置で入力する事により、電源供給の制御のロックを設定及び解除できるものである為、使用者を容易に限定して安全性を向上させる事ができると共に操作が容易である。
【００２２】
更に、本発明の安全装置は、人体の指紋により識別する指紋認証装置にする事で、使用者或いは使用を許可する者として、指紋認証装置で認証された指紋を持つ特定個人に限定する事ができ、更なる安全性の向上に役立つ。
【００２３】
更にまた、本発明の電源ユニットを備えたマッサージ機は、マッサージ機本体の後方側底端部に上記のような電源ユニットを備えている為、幼児や子供が勝手に電源スイッチのＯＦＦ状態を解除できないようにする事ができ、幼児や子供の誤使用による危険性を回避できる安全性の高いマッサージ機にする事ができる。
【発明を実施するための最良の形態】
【００２４】
以下に、本発明の安全装置を備えた電源ユニット及び電源ユニットを備えたマッサージ機を、図面に示す一実施形態に基づきこれを詳細に説明する。
【００２５】
図１は本発明の安全装置を備えた電源ユニットの一実施形態を示す斜視図であり、図２は本発明の安全装置を備えた電源ユニットにおける安全装置をキーロック装置にした一実施形態を示す斜視図であり、図３は本発明の安全装置を備えた電源ユニットにおける安全装置をカードリーダ装置にした一実施形態を示す斜視図であり、図４は本発明の安全装置を備えた電源ユニットにおける安全装置をテンキー装置にした一実施形態を示す斜視図であり、図５は本発明の安全装置を備えた電源ユニットにおける安全装置を指紋認証装置にした一実施形態を示す斜視図であり、図６は本発明の安全装置を備えた電源ユニットにおけるキーロック装置の一実施形態を示す正面説明図であり、図７は本発明の安全装置を備えた電源ユニットにおける電気回路の一実施形態を示す回路図であり、図８は本発明の電源ユニット備えたマッサージ機の一実施形態を示す後方斜視図であり、図９は従来技術を示す参考図である。
【００２６】
すなわち、本発明の安全装置を備えた電源ユニット２ａは図８に示したように、一実施形態として椅子式マッサージ機であるマッサージ機本体１ａの後方適所に備えるものであり、図１に示すように縦長筐体状の電源ボックス２１ａとして、その上部にＯＮ、ＯＦＦの切り替え機能を有するシーソー型の電源スイッチ釦２２ａと、該電源スイッチ釦２２ａの下部に配備される過電流が流れる事を防止するヒューズ２３ａと、該ヒューズ２３ａの下部において、前記マッサージ機本体への電源供給を制御するためのロック機構である後述する安全装置３ａを夫々内蔵した構成となっている。
【００２７】
また図１及び図７に示すように、前記電源ボックス２１ａの正面であり、また前記安全装置３ａの下部である位置に、外部電源と接続するための電源コード２４ａの基端を接続して、電源ボックス２１ａの内部に電気を供給している。さらに、該電源ボックス２１ａの背面からは配線コード２５ａが出ており、該配線コード２５ａは、前記マッサージ機本体１ａのトランス部４ａ及び制御基板５ａに通電接続している。
【００２８】
更に前記ロック機構である安全装置３ａは、前記マッサージ機本体１ａに対する電源供給を制御する。すなわち、図７に示すように前記電源スイッチ釦２２ａがＯＦＦの状態の場合、該安全装置３ａによって前記配線コード２５ａと前記電源スイッチ釦２２ａとの通電を断絶した状態にする事により、たとえ電源スイッチ釦２２ａをＯＮに切り替えたとしても、マッサージ機本体１ａに対する電源供給はＯＦＦのままロックされる。
【００２９】
前記マッサージ機本体１ａに対する電源供給をＯＮの状態にするには、まず安全装置３ａのロックを解除し、通電を行える状態にする。次いで電源スイッチ釦２２ａをＯＮに切り替るという手順で行う。
【００３０】
前記ロック機構である安全装置３ａは、特定の媒体物もしくは予め設定された情報を使用する事により、前記マッサージ機本体１ａに対する電源供給を制御するようにしている。
【００３１】
図２に示すのは、前記安全装置３ａを鍵穴挿入部３１２ａを有する正面視円筒状の装置本体３１１ａと、該鍵穴挿入部３１２ａに挿入可能な特定の媒体物である鍵３１３ａから構成するものである。
【００３２】
図２に示すように、前記鍵穴挿入部３１２ａに前記鍵３１３ａを挿入すると、前記配線コード２５ａと前記電源スイッチ釦２２ａとの通電ができる状態になり、逆に鍵３１３ａを鍵穴挿入部３１２ａから抜くと前記配線コード２５ａと前記電源スイッチ釦２２ａとの通電ができない状態となる。
【００３３】
したがって、前記鍵３１３ａを前記鍵穴挿入部３１２ａに挿入しない限り、前記マッサージ機本体１ａに対する電源供給のＯＦＦ状態を維持する事ができる。
【００３４】
前記装置本体３１１ａは、前記ヒューズ２３ａと前記電源コード２４ａの間に設けているが、この位置に限らず、適宜位置変更してもよい。
【００３５】
さらに図６は、鍵３１３ａをキーロック装置３１ａの装置本体３１１ａに備えた鍵穴挿入部３１２ａに差し込んで一定角度回動させる事により、前記マッサージ機本体１ａに対する電源供給を可能とし、逆に反対側に一定角度回動させて前記鍵穴挿入部３１２ａから前記鍵３１３ａを抜き取る事でマッサージ機本体１ａへの電源供給を不可とすると共に電源供給のＯＦＦ状態を維持するようにしたものを示している。
【００３６】
前記鍵３１３ａの回動する前記一定角度は図示するように、時計回り９０度になるよう設定している。尚、この角度は９０度に限らず、これよりも回動角度を少なく或いは大きくなるよう適宜設定してもよい。
【００３７】
前記鍵穴挿入部３１２ａの真上部には、前記鍵３１３ａの抜挿可能位置を示す丸印３１４ａを設けており、該丸印３１４ａの方向に鍵３１３ａが向く状態の場合、該鍵３１３ａを抜挿する事ができるが、それ以外の鍵３１３ａの回動位置では抜挿が不可能となっている。
【００３８】
前記丸印３１４ａの方向に向いた状態で前記鍵３１３ａを挿入すると共に時計回りに回動させ、前記鍵３１３ａの回動角度が最大９０度の位置にある時にはじめて前記配線コード２５ａと前記電源スイッチ釦２２ａとの通電ができる状態になり、マッサージ機本体１ａへの電源供給のＯＦＦ状態の解除するよう構成している。
【００３９】
また、本発明の安全装置を備えた電源ユニット２ａは、ロック機構である安全装置３ａとして、予め設定された情報を使用する事により電源供給を制御するようにしている。
【００４０】
すなわち図３に示すように、情報の入出力が可能であり、該情報を記憶できる記憶部（図示せず）を有するカード３２１ａの記憶された該情報を読み取って認識するカードリーダ装置３２ａを前記安全装置３ａとして採用する事ができる。
【００４１】
前記カードリーダ装置３２ａには、前記カード３２１ａを挿入するカード挿入部３２２ａを、前記電源ボックス２１ａの正面適所に設けている。
【００４２】
また前記カードリーダ装置３２ａに、カード３２１ａから読み取って認識した情報と、既に内部に設定されている設定情報を照合して処理するための制御部（図示せず）を設けている。
【００４３】
前記記憶部は、例えば磁気や光記録メモリー、ＩＣメモリー等を使用したものとして構成する事ができるが、これらに限らず、情報の入出力及び記憶が可能なものであるならばなんでもよい。
【００４４】
前記カード３２１ａを前記カードリーダ装置３２ａの前記カード挿入部３２２ａに挿入しない限り、前記電源スイッチ釦２２ａをＯＮへ切り替えても前記マッサージ機本体１ａへの電源供給はなされず、電源供給のＯＦＦ状態を維持する事ができる。
【００４５】
前記マッサージ機本体１ａへの電源供給のＯＦＦ状態を解除するにあたっては、まず前記カード３２１ａを前記カードリーダ装置３２ａのカード挿入部３２２ａに挿入する事により、該カードリーダ装置３２ａはカード３２１ａに記憶された情報を認識すると共に、該情報がカードリーダ装置３２ａ内部に設定されている前記設定情報と一致するか否か、前記制御部によって照合させる。もし一致するならば、前記配線コード２５ａと前記電源スイッチ釦２２ａとの通電ができる状態になり、マッサージ機本体１ａへの電源供給のＯＦＦ状態を解除する。
【００４６】
尚、前記カードリーダ装置３２ａは、前記ヒューズ２３ａと前記電源コード２４ａの間に設けているが、この位置に限らず、適宜位置変更してもよい。
【００４７】
さらに、ロック機構である安全装置３ａとして、予め設定された情報を使用する事により電源供給を制御するようにした構成として、図４に示すのは、予め設定された少なくとも二以上の暗証番号を入力する事が可能なテンキー装置３３ａを備えたものである。
【００４８】
前記テンキー装置３３ａは、０乃至９の数字が表面に記された数字入力部３３１ａと、「＊」及び「＃」の印が表面に記された特定の機能を選択するための機能選択入力部３３２ａと、該数字入力部３３１ａ及び機能選択入力部３３２ａから入力された情報の演算処理及び記憶等を行う制御部（図示せず）からなるものである。
【００４９】
前記テンキー装置３３ａにおいて、前記数字入力部３３１ａの少なくとも二以上の数字を暗証番号として設定するためには、まず前記機能選択入力部３３２ａの「＊」を入力した後、該数字入力部３３１ａにおいて設定する暗証番号を入力する。例えば、「２」を入力し、次いで「５」を入力する事ができる。その後機能選択入力部３３２ａの「＃」を入力すると入力した「２５」が暗証番号として前記制御部において設定される。
【００５０】
前記のように暗証番号が設定された後は、該暗証番号を前記数字入力部３３１ａにおいて入力されない限り、前記電源スイッチ釦２２ａをＯＮへ切り替えても前記配線コード２５ａと前記電源スイッチ釦２２ａとの通電ができない状態のままであり、前記マッサージ機本体１ａへの電源供給はなされず、電源供給のＯＦＦ状態を維持する事ができる。
【００５１】
前記マッサージ機本体１ａへの電源供給のＯＦＦ状態を解除するにあたっては、前述のように暗証番号が「２５」に設定されているのであれば、前記機能選択入力部３３２ａの「＊」「＃」を同時に押し、次いで前記数字入力部３３１ａで「２５」を入力する。この場合、前記制御部で記憶設定されている暗証番号と一致するので、前記配線コード２５ａと前記電源スイッチ釦２２ａとの通電を行う事ができる状態になり、マッサージ機本体１ａへの電源供給を行う事ができる状態になる。
【００５２】
尚、使用者が設定した暗証番号を忘れた場合のために、特定の暗証番号を予め設けたり、或いは前記数字入力部３３１ａや前記機能選択入力部３３２ａを用いた特定の手順を設けたりする事もできる。
【００５３】
図４において前記テンキー装置３３ａは、電源ボックス２１ａの右側面に設けたが、この位置に限らず、適宜位置変更してもよし、また前記数字入力部３３１ａの各数字及び前記機能選択入力部３３２ａの「＊」「＃」が列状になるような配列にしてもよい。
【００５４】
さらに、ロック機構である安全装置３ａとして、予め設定された情報を使用する事により電源供給を制御するようにした構成としては、図５に示すように、人体の指紋により識別する指紋認証装置３４ａを採用する事ができる。
【００５５】
前記指紋認証装置３４ａは、指を接触させて指紋情報を認識するための指接面部３４１ａと、該指接面部３４１ａにおいて指紋情報を認識させて登録するための認識登録釦３４２ａ、また指接面部３４１ａに接触する指紋情報を既に登録された指紋情報と照合して認証するための照合認証釦３４３ａを備えている。
【００５６】
また図示しないが、前記指紋認証装置３４ａには、制御部を設けており、該制御部は、指紋情報を記憶したり、前記指接面部３４１ａと前記認識登録釦３４２ａ及び前記照合認証釦３４３ａの夫々の機能を制御したり、さらには認識登録釦３４２ａにより既に登録された指紋情報と、照合認証釦３４３ａを起動させた時に前記指接面部３４１ａに接触した指の指紋情報とが一致するかどうか判別したりする等を行う。
【００５７】
前記指紋認証装置３４ａに、指紋情報を登録させるには、まず前記認識登録釦３４２ａを押してから指を前記指接面部３４１ａに接触させる事により、該指の指紋情報は前記制御部に記憶されて登録を完了する。尚、指紋情報の登録が正しく行われたならば、例えば図示しないが表示灯や音等によって通知するようにしてもよい。
【００５８】
前記のように指紋情報が前記指紋認証装置３４ａによって登録された後は、該登録された指紋情報が入力されない限り、前記電源スイッチ釦２２ａをＯＮへ切り替えても、前記配線コード２５ａと前記電源スイッチ釦２２ａとの通電ができない状態のままであり、前記マッサージ機本体１ａへの電源供給のＯＦＦ状態を維持する事ができる。
【００５９】
前記マッサージ機本体１ａへの電源供給のＯＦＦ状態を解除するにあたっては、前記照合認証釦３４３ａを押してから、前記指接面部３４１ａに指を接触させて、前記認識登録釦３４２ａにより既に登録された指紋情報と該指接面部３４１ａに接触した指の指紋情報とが一致するかどうか前記制御部において判別し、もし一致するのであれば、前記配線コード２５ａと前記電源スイッチ釦２２ａとの通電を行う事ができる状態になり、マッサージ機本体１ａへの電源供給を行う事ができる状態になる。
【００６０】
尚、前記指紋認証装置３４ａは、前記ヒューズ２３ａと前記電源コード２４ａの間に設けているが、この位置に限らず、適宜位置変更してもよい。
【００６１】
前記安全装置３ａは、前記キーロック装置３１ａ、前記カードリーダ装置３２ａ、前記テンキー装置３３ａ、前記指紋認証装置３４ａを夫々適宜組み合わせて構成するならば、子供や幼児が電源ユニットをより容易に操作できないようになり、安全性を高める事ができる。
【００６２】
さらに本発明は、図８の実施形態で示したように、前記構成の安全装置を備えた電源ユニット２ａをマッサージ機本体１ａに取りつけた椅子式のマッサージ機を示したものである。
【００６３】
前記マッサージ機本体１ａは、人体臀部が当接する座部１１ａと、該座部１１ａの後方においてリクライニング可能に設けられた人体背部が当接する背もたれ部１２ａと、座部１１ａの左右両側に夫々人体腕等が当接する肘掛け部１３ａとを備えて構成している。
【００６４】
前記背もたれ部１２ａは、内部においてマッサージ動作を行う施療機構（図示せず）を設けたものであり、該マッサージ動作として例えば揉み、叩き、ローリング、振動等を可能としてもよい。
【００６５】
本発明の電源ユニット２ａを備えたマッサージ機は、前記マッサージ機本体１ａの後方側底端部に、前記構成の安全装置を備えた電源ユニット２ａを取りつけている。すなわち、前記背もたれ部１２ａの底端左側付近である、肘掛け部１３ａの後方内側に配設している。そして、このような構成にする事により、幼児や子供が勝手にマッサージ機本体１ａの電源供給のＯＦＦ状態を解除しないよう、安全装置を備えた電源ユニット２ａを目の届かない部位に配置する事ができるのである。
【図面の簡単な説明】
【００６６】
【図１】本発明の安全装置を備えた電源ユニットの一実施形態を示す斜視図である。
【図２】本発明の安全装置を備えた電源ユニットにおける安全装置をキーロック装置にした一実施形態を示す斜視図である。
【図３】本発明の安全装置を備えた電源ユニットにおける安全装置をカードリーダ装置にした一実施形態を示す斜視図である。
【図４】本発明の安全装置を備えた電源ユニットにおける安全装置をテンキー装置にした一実施形態を示す斜視図である。
【図５】本発明の安全装置を備えた電源ユニットにおける安全装置を指紋認証装置にした一実施形態を示す斜視図である。
【図６】本発明の安全装置を備えた電源ユニットにおけるキーロック装置の一実施形態を示す正面説明図である。
【図７】本発明の安全装置を備えた電源ユニットにおける電気回路の一実施形態を示す回路図である。
【図８】本発明の電源ユニットを備えたマッサージ機の一実施形態を示す後方斜視図である。
【図９】従来技術を示す参考図である。
【符号の説明】
【００６７】
１ａ  マッサージ機本体
１１ａ  座部
１２ａ  背もたれ部
１３ａ  肘掛け部
２ａ  安全装置を備えた電源ユニット
２１ａ  電源ボックス
２２ａ  電源スイッチ釦
２３ａ  ヒューズ
２４ａ  電源コード
２５ａ  配線コード
３ａ  安全装置
３１ａ  キーロック装置
３１１ａ  装置本体
３１２ａ  鍵穴挿入部
３１３ａ  鍵
３１４ａ  丸印
３２ａ  カードリーダ装置
３２１ａ  カード
３２２ａ  カード挿入部
３３ａ  テンキー装置
３３１ａ  数字入力部
３３２ａ  機能選択入力部
３４ａ  指紋認証装置
３４１ａ  指接面部
３４２ａ  認識登録釦
３４３ａ  照合認証釦
４ａ  トランス部
５ａ  制御基板
【図１】
2006296934.tif 000003
【図２】
2006296934.tif 000004
【図３】
2006296934.tif 000005
【図４】
2006296934.tif 000006
【図５】
2006296934.tif 000007
【図６】
2006296934.tif 000008
【図７】
2006296934.tif 000009
【図８】
2006296934.tif 000010
【図９】
2006296934.tif 000011